(57)【要約】【課題】本発明は、画像におけるユーザに近い部分が露出することを防止することができる撮像輝度値を自動的に調整する電子デバイス及び方法を提供する。【解決手段】レンズモジュール、複数の補助発光ユニット、複数の駆動電流制御部及び処理ユニットを備える。レンズモジュールは、物体の第一画像を撮像する。処理ユニットは、撮像された第一画像を複数のサブ画像に分割し、各サブ画像の平均輝度値を取得し、各サブ画像の平均輝度値が所定の輝度値範囲内に属するか否かを検出し、サブ画像の平均輝度値が所定の輝度値範囲内に属しない場合、補助発光ユニットに流れる電流を調整することによって補助発光ユニットの照度値を調整するように、所定の輝度値範囲内に属しないサブ画像に対応する補助発光ユニットと接続する駆動電流制御部を制御し、次いで、物体の第二画像を撮像するようにレンズモジュールを制御する。【選択図】図２
2014123951.tif 000002
【特許請求の範囲】
【請求項１】
ユーザの操作に応じて物体の第一画像を撮像するためのレンズモジュールを備える撮像輝度値を自動的に調整する電子デバイスにおいて、
前記レンズモジュールに補助照明を提供するための複数の補助発光ユニットと、
前記補助発光ユニットにそれぞれ接続され、且つ補助発光ユニットに流れる電流を調整することによって補助発光ユニットの照度値を調整するための複数の駆動電流制御部と、
処理ユニットと、を備え、
前記処理ユニットは、前記レンズモジュールによって撮像された画像を複数のサブ画像に分割し、各サブ画像を各補助発光ユニットにそれぞれ対応させ、各サブ画像の平均輝度値を取得し、各サブ画像の平均輝度値が所定の輝度値範囲内に属するか否かを検出し、複数のサブ画像のいずれか１つのサブ画像の平均輝度値が所定の輝度値範囲内に属しない場合、補助発光ユニットに流れる電流を調整することによって該補助発光ユニットの照度値を調整するように、所定の輝度値範囲内に属しないサブ画像に対応する補助発光ユニットと接続する駆動電流制御部を制御し、補助発光ユニットに流れる電流が調整された後、さらに物体の第二画像を撮像するように前記レンズモジュールを制御するために用いられることを特徴とする撮像輝度値を自動的に調整する電子デバイス。
【請求項２】
前記処理ユニットが各サブ画像の平均輝度値を取得することは、各サブ画像の全ての画素の輝度値を取得し、且つ全ての画素の平均輝度値を算出してサブ画像の平均輝度値とすることであることを特徴とする請求項１に記載の撮像輝度値を自動的に調整する電子デバイス。
【請求項３】
レンズモジュールによって物体の第二画像を撮像した後、前記処理ユニットは、さらにレンズモジュールによって撮像された第一画像を削除するために用いられることを特徴とする請求項１に記載の撮像輝度値を自動的に調整する電子デバイス。
【請求項４】
サブ画像の平均輝度値が所定の輝度値範囲内の最小輝度値より低い場合、前記処理ユニットは、補助発光ユニットに流れる電流を増加させるように駆動電流制御部を制御し、これにより、補助発光ユニットの照度値を増加し、サブ画像の平均輝度値が所定の輝度値範囲内の最大輝度値より高い場合、記処理ユニットは、補助発光ユニットに流れる電流を減少させるように駆動電流制御部を制御し、これにより、補助発光ユニットの照度値を低減させることを特徴とする請求項１に記載の撮像輝度値を自動的に調整する電子デバイス。
【請求項５】
電子デバイスに用いられる撮像輝度値を自動的に調整する方法であって、前記電子デバイスは、レンズモジュール、複数の補助発光ユニット、複数の駆動電流制御部及び処理ユニットを備え、前記レンズモジュールは、ユーザの操作に応じて物体の第一画像を撮像し、前記補助発光ユニットは、前記レンズモジュールに補助照明を提供し、前記駆動電流制御部は、前記補助発光ユニットにそれぞれ接続され、且つ補助発光ユニットに流れる電流を調整することによって補助発光ユニットの照度値を調整し、撮像輝度値を自動的に調整する方法において、
撮像された第一画像を複数のサブ画像に分割するステップと、
各サブ画像を各補助発光ユニットにそれぞれ対応させるステップと、
各サブ画像の平均輝度値を取得するステップと、
各サブ画像の平均輝度値が所定の輝度値範囲内に属するか否かを検出するステップと、
複数のサブ画像のいずれか１つのサブ画像の平均輝度値が所定の輝度値範囲内に属しない場合、補助発光ユニットに流れる電流を調整することによって該補助発光ユニットの照度値を調整するように、所定の輝度値範囲内に属しないサブ画像に対応する補助発光ユニットと接続する駆動電流制御部を制御するステップと、
駆動電流制御部が補助発光ユニットに流れる電流を調整した後、物体の第二画像を撮像するようにレンズモジュールを制御するステップと、
を備えることを特徴とする撮像輝度値を自動的に調整する方法。
【発明の詳細な説明】
【技術分野】
【０００１】
本発明は、撮像輝度値を自動的に調整する電子デバイス及び方法に関するものである。
【背景技術】
【０００２】
従来の監視カメラ等の電子デバイスにおいて、遠方の画像をはっきりと撮像するために、一般的には、補助発光ユニットを使用する必要がある。この補助発光ユニットは、レンズモジュールに補助照明を提供するために用いられる。しかし、補助発光ユニットによって提供された補助照明は、近くの画像が過度に露光されやすい。
【発明の概要】
【発明が解決しようとする課題】
【０００３】
前記課題を解決するために、本発明は、画像におけるユーザに近い部分を過度に露光することを防止することができる撮像輝度値を自動的に調整する電子デバイス及び方法を提供する。
【課題を解決するための手段】
【０００４】
本発明に係る撮像輝度値を自動的に調整する電子デバイスは、レンズモジュール、複数の補助発光ユニット、複数の駆動電流制御部及び処理ユニットを備える。レンズモジュールは、ユーザの操作に応じて物体の第一画像を撮像し、前記補助発光ユニットは、前記レンズモジュールに補助照明を提供し、前記駆動電流制御部は、前記補助発光ユニットにそれぞれ接続され、且つ補助発光ユニットに流れる電流を調整することによって補助発光ユニットの照度値を調整し、前記処理ユニットは、前記レンズモジュールによって撮像された画像を複数のサブ画像に分割し、各サブ画像を各補助発光ユニットにそれぞれ対応し、各サブ画像の平均輝度値を取得し、各サブ画像の平均輝度値が所定の輝度値範囲内に属するか否かを検出し、複数のサブ画像のいずれか１つのサブ画像の平均輝度値が所定の輝度値範囲内に属しない場合、補助発光ユニットに流れる電流を調整することによって該補助発光ユニットの照度値を調整するように、所定の輝度値範囲内に属しないサブ画像に対応する補助発光ユニットと接続する駆動電流制御部を制御し、補助発光ユニットに流れる電流が調整された後、物体の第二画像を撮像するように前記レンズモジュールを制御する。
【０００５】
本発明に係る撮像輝度値を自動的に調整する方法は、電子デバイスに用いられる。前記電子デバイスは、レンズモジュール、複数の補助発光ユニット、複数の駆動電流制御部及び処理ユニットを備える。前記レンズモジュールは、ユーザの操作に応じて物体の第一画像を撮像し、前記補助発光ユニットは、前記レンズモジュールに補助照明を提供し、前記駆動電流制御部は、前記補助発光ユニットにそれぞれ接続され、且つ補助発光ユニットに流れる電流を調整することによって補助発光ユニットの照度値を調整する。撮像輝度値を自動的に調整する方法は、撮像された第一画像を複数のサブ画像に分割するステップと、各サブ画像を各補助発光ユニットにそれぞれ対応するステップと、各サブ画像の平均輝度値を取得するステップと、各サブ画像の平均輝度値が所定の輝度値範囲内に属するか否かを検出するステップと、複数のサブ画像のいずれか１つのサブ画像の平均輝度値が所定の輝度値範囲内に属しない場合、補助発光ユニットに流れる電流を調整することによって該補助発光ユニットの照度値を調整するように、所定の輝度値範囲内に属しないサブ画像に対応する補助発光ユニットと接続する駆動電流制御部を制御するステップと、駆動電流制御部が補助発光ユニットに流れる電流を調整した後、物体の第二画像を撮像するようにレンズモジュールを制御するステップと、を備える。
【発明の効果】
【０００６】
従来の技術と比べて、本発明の撮像輝度値を自動的に調整する電子デバイス及び方法には、撮像された画像を複数のサブ画像に分割し、各サブ画像の平均輝度値を取得し、各サブ画像の平均輝度値が所定の輝度値範囲内に属するか否かを検出し、所定の輝度値範囲内に属しない場合、所定の輝度値範囲内に属しないサブ画像に対応する補助発光ユニットの照度値を調整し、次いで、画像を再度撮像する。これにより、画像におけるユーザに近い部分を過度に露光することを防止することができる。
【図面の簡単な説明】
【０００７】
【図１】本発明の実施形態に係る撮像輝度値を自動的に調整する電子デバイスのブロック図である。
【図２】本発明の実施形態に係る撮像輝度値を自動的に調整する方法のフローチャートである。
【発明を実施するための形態】
【０００８】
以下、図面を参照して、本発明の実施形態について説明する。
【０００９】
図１を参照すると、本発明の実施形態に係る撮像輝度値を自動的に調整する電子デバイス１は、レンズモジュール２０、複数の補助発光ユニット３０、複数の駆動電流制御部４０及び処理ユニット１０を備える。レンズモジュール２０は、ユーザの操作に応じて物体の画像を撮像するために用いられる。各駆動電流制御部４０は、１つの補助発光ユニット３０にそれぞれ接続され、補助発光ユニット３０に流れる電流を調整することによって補助発光ユニット３０の照度値を調整するために用いられる。レンズモジュール２０によって撮像された画像は、複数のサブ画像からなり、各補助発光ユニット３０は、画像の中の各サブ画像にそれぞれ対応し、画像を撮像するレンズモジュール２０に補助照明を提供するために用いられる。これにより、画像の品質を向上することができる。本実施形態において、補助発光ユニット３０は、フラッシュランプである。
【００１０】
処理ユニット１０は、分割モジュール１２、決定モジュール１５、輝度値取得モジュール１３、検出モジュール１４及び制御モジュール１６を備える。
【００１１】
分割モジュール１２は、レンズモジュール２０によって撮像された画像を複数のサブ画像に分割するために用いられる。決定モジュール１５は、各サブ画像を各補助発光ユニット３０にそれぞれ対応することを決定するために用いられる。輝度値取得モジュール１３は、各サブ画像の平均輝度値を取得するために用いられる。検出モジュール１４は、各サブ画像の平均輝度値が所定の輝度値範囲内に属するか否かを検出するために用いられる。複数のサブ画像のいずれか１つのサブ画像の平均輝度値が所定の輝度値範囲内に属しない場合、決定モジュール１５は、所定の輝度値範囲内に属しないサブ画像に対応する補助発光ユニット３０を決定し、制御モジュール１６は、補助発光ユニット３０に流れる電流を調整することによって該補助発光ユニット３０の照度値を調整するように、所定の輝度値範囲内に属しないサブ画像に対応する補助発光ユニット３０と接続する駆動電流制御部４０を制御する。制御モジュール１６は、駆動電流制御部４０が決定された補助発光ユニット３０に流れる電流を調整した後、さらに物体の第二画像を撮像するようにレンズモジュール２０を制御する。全てのサブ画像の平均輝度値が所定の輝度値範囲内に属した場合、制御モジュール１６は、いかなる操作も行わない。
【００１２】
本実施形態において、サブ画像の平均輝度値が所定の輝度値範囲内の最小輝度値より低い場合、駆動電流制御部４０は、補助発光ユニット３０に流れる電流を増加させる。これにより、補助発光ユニット３０の照度値を増加させることができる。サブ画像の平均輝度値が所定の輝度値範囲内の最大輝度値より高い場合、駆動電流制御部４０は、補助発光ユニット３０に流れる電流を減少させる。これにより、補助発光ユニット３０の照度値を低減させる。
【００１３】
本実施形態において、各サブ画像は、複数の画素を含む。輝度値取得モジュール１３は、各サブ画像の全ての画素の輝度値を取得し、且つ全ての画素の平均輝度値を算出する。全ての画素の平均輝度値は、サブ画像の平均輝度値である。
【００１４】
また、処理ユニット１０は、さらに削除モジュール１７を備える。削除モジュール１７は、レンズモジュール２０によって物体の第二画像を撮像した後、レンズモジュール２０によって撮像された第一画像を削除するために用いられる。従って、最適な第二画像を保存する。
【００１５】
図２を参照すると、撮像輝度値を自動的に調整する方法は、以下のステップＳ６０１〜ステップ６０７を備える。
【００１６】
ステップＳ６０１において、レンズモジュール２０は、ユーザの操作に応じて第一画像を撮像する。
【００１７】
ステップＳ６０２において、分割モジュール１２は、撮像された第一画像を複数のサブ画像に分割する。
【００１８】
ステップＳ６０３において、決定モジュール１５は、各サブ画像が各補助発光ユニット３０にそれぞれ対応することを決定する。
【００１９】
ステップＳ６０４において、輝度値取得モジュール１３は、各サブ画像の平均輝度値を取得する。
【００２０】
ステップＳ６０５において、検出モジュール１４は、各サブ画像の平均輝度値が所定の輝度値範囲内に属するか否かを検出する。全てのサブ画像の平均輝度値が所定の輝度値範囲内に属した場合、プロセスは終了する。複数のサブ画像のいずれか１つのサブ画像の平均輝度値が所定の輝度値範囲内に属しない場合、ステップＳ６０６に進む。
【００２１】
ステップＳ６０６において、制御モジュール１６は、補助発光ユニット３０に流れる電流を調整することによって該補助発光ユニット３０の照度値を調整するように、所定の輝度値範囲内に属しないサブ画像に対応する補助発光ユニット３０と接続される駆動電流制御部４０を制御する。
【００２２】
ステップＳ６０７において、制御モジュール１６は、駆動電流制御部４０が補助発光ユニット３０に流れる電流を調整した後、物体の第二画像を撮像するようにレンズモジュール２０を制御する。
【００２３】
また、本発明の撮像輝度値を自動的に調整する方法は、レンズモジュール２０によって物体の第二画像を撮像した後、削除モジュール１７が、レンズモジュール２０によって撮像された第一画像を削除するステップをさらに備える。
【符号の説明】
【００２４】
１  電子デバイス
１０  処理ユニット
２０  レンズモジュール
３０  補助発光ユニット
４０  駆動電流制御部
１２  分割モジュール
１３  輝度値取得モジュール
１４  検出モジュール
１５  決定モジュール
１６  制御モジュール
１７  削除モジュール
【図１】
2014123951.tif 000003
【図２】
2014123951.tif 000004